(57)【要約】      （修正有）【課題】使用者の必要に応じて焼き板と発熱器の使用量を定めることができて、単数のフライパンやグリルを使う場合より短時間で多量の焼き食べ物を焼くことができる折り畳み可能な発熱器と焼き板が備えられる焼き装置を提供すること。【解決手段】焼き部１００は、上部に焼き対象食べ物を備えた後、発熱部２００から加えられる熱源を介して焼き対象食べ物が焼けるように支持する役割を果たす。発熱部２００は、焼き部１００に備えられた焼き対象食べ物に赤外線熱を加えて焼き対象食べ物が焼かれながら煮えるようにする役割を果たす。ここで、焼き部１００は、調理しようとする料理材料を載せて調理することができるようにしながら複数が相互広げられたり相互折り畳められるように形成される。【選択図】図１
2019037758.tif 000002
【特許請求の範囲】
【請求項１】
調理しようとする料理材料を載せて調理することができるようにしながら複数が相互広げられたり相互重なるように形成される焼き部（１００）と；
前記焼き部（１００）で上下方向に配置される支持柱５０の上部に備えられて、前記焼き部（１００）に赤外線を加えながら複数が相互広げられたり相互折り畳まれるように形成される発熱部（２００）と；を含み、
前記焼き部（１００）は、調理しようとする料理材料を載せて調理することができるようにする焼き板（１１０）と、前記焼き板（１１０）の両側に各々回転可能に連結されながら前記焼き板（１１０）と積層されて重なるように形成される第一の補助焼き板（１２０）と第二の補助焼き板（１３０）を含み、
前記発熱部（２００）は、
前記焼き板（１１０）に赤外線を加えて焼き板（１１０）の上の料理材料が焼けるようにする発熱器（２１０）と、
前記発熱器（２１０）の両側に各々回転可能に連結されながら各々前記第一の補助焼き板（１２０）と第二の補助焼き板（１３０）に赤外線を加えて、前記発熱器（２１０）と折り畳み可能に形成される第一の補助発熱器（２２０）と第二の補助発熱器（２３０）を含み、
前記第一の補助発熱器（２２０）は、
前記第一の補助発熱器（２２０）の下部を開閉するように形成される第一の開閉反射板（２２６）を含み、
前記第二の補助発熱器（２３０）は、
前記第二の補助発熱器（２３０）の下部を開閉するように形成される第二の開閉反射板（２３６）を含むことを特徴とする、折り畳み可能な発熱器と焼き板が備えられる焼き装置。
【請求項２】
前記焼き部（１００）は、
前記焼き板（１１０）の一側枠部位に前記第一の補助焼き板（１２０）が連結されたまま回転できるようにする第一の焼き板ヒンジ（１２２）と、
前記焼き板（１１０）の他側枠部位に前記第二の補助焼き板（１３０）が連結されたまま回転できるようにする第二の焼き板ヒンジ（１３２）を含むことを特徴とする、請求項１に記載の折り畳み可能な発熱器と焼き板が備えられる焼き装置。
【請求項３】
前記焼き部（１００）は、
前記焼き板（１１０）の下部に配置されて前記焼き板（１１０）から発生する油が落下されて集められる油受け取り（１５０）を含み、
前記焼き板（１１０）は、
前記焼き板（１１０）上で焼き対象物が調理されながら発生する油が前記油受け取り（１５０）に落下されるように前記焼き板（１１０）の中心部位に穿孔される油孔（１１５）を含むことを特徴とする、請求項１に記載の折り畳み可能な発熱器と焼き板が備えられる焼き装置。
【請求項４】
前記油受け取り（１５０）は、
前記第一の補助焼き板（１２０）が前記焼き板（１１０）で広げられた状態で焼き対象物の調理時発生する油が前記油受け取り（１５０）に落下されるように前記油受け取り（１５０）から前記第一の補助焼き板（１２０）が配置された位置にスライディングされる第一の補助油受け取り（１２５）と、
前記第二の補助焼き板（１３０）が前記焼き板（１１０）で広げられた状態で焼き対象物の調理時発生する油が前記油受け取り（１５０）に落下されるように前記油受け取り（１５０）から前記第二の補助焼き板（１３０）が配置された位置にスライディングされる第二の補助油受け取り（１３５）を含み、
前記第一の補助焼き板（１２０）は、
前記第一の補助焼き板（１２０）から発生する油が第一の補助油受け取り（１２５）に落下されるように前記焼き板（１１０）と隣接した位置の第一の補助焼き板（１２０）に形成される第一の油孔（１２３）を含み、
前記第二の補助焼き板（１３０）は、
前記第二の補助焼き板（１３０）から発生する油が第二の補助油受け取り（１３５）に落下されるように前記焼き板（１１０）と隣接した位置の第二の補助焼き板（１３０）に形成される第二の油孔（１３３）を含むことを特徴とする、請求項３に記載の折り畳み可能な発熱器と焼き板が備えられる焼き装置。
【請求項５】
前記焼き部（１００）は、
折り畳まれる場合、前記焼き板（１１０）の上部に前記第二の補助焼き板（１３０）が重なった後、前記第二の補助焼き板（１３０）の上に前記第一の補助焼き板（１２０）が重なりながら折り畳まれるようになり、広げられる場合、前記第一の補助焼き板（１２０）が前記焼き板（１１０）の一側枠部位で回転しながら先に広げられた後、前記第二の補助焼き板（１３０）が前記焼き板（１１０）の他側枠部位で回転しながら広げられて、
前記焼き板（１１０）は、
前記焼き板（１１０）の枠部位から中心部位まで下方傾斜するように形成されて、
前記第一の補助焼き板（１２０）と第二の補助焼き板（１３０）は、各々上面と下面が枠から凹むように形成されることを特徴とする、請求項１に記載の折り畳み可能な発熱器と焼き板が備えられる焼き装置。
【請求項６】
前記発熱器（２１０）は、
ボックス状の本体（２１１）と、
前記本体（２１１）の内部に収容されたまま赤外線を発散する発熱体２１３を含み、
前記第一の補助発熱器（２２０）は、
ボックス状の第一の補助本体（２２１）と、
前記第一の補助本体（２２１）の内部に収容されたまま赤外線を発散する第一の補助発熱体（２２３）を含み、
前記第二の補助発熱器（２３０）は、
ボックス状の第二の補助本体（２３１）と、
前記第二の補助本体（２３１）の内部に収容されたまま赤外線を発散する第二の補助発熱体（２３３）を含むことを特徴とする、請求項１に記載の折り畳み可能な発熱器と焼き板が備えられる焼き装置。
【請求項７】
前記発熱部（２００）は、
前記発熱器（２１０）の一側枠部位に前記第一の補助発熱器（２２０）が連結されたまま回転できるようにする第一の発熱器ヒンジ（２２２）と、
前記発熱器（２１０）の他側枠部位で前記第二の補助発熱器（２３０）が連結されたまま回転できるようにする第二の発熱器ヒンジ（２３２）を含み、
前記第一の補助発熱器（２２０）は、前記第一の補助焼き板（１２０）と対応するように配置されて前記第一の補助焼き板（１２０）に赤外線を加えることができ、
前記第二の補助発熱器（２３０）は、前記第二の補助焼き板（１３０）と対応するように配置されて前記第二の補助焼き板（１３０）に赤外線を加えることができるようにすることを特徴とする、請求項１に記載の折り畳み可能な発熱器と焼き板が備えられる焼き装置。
【請求項８】
前記第一の発熱器ヒンジ（２２２）は、
前記第一の補助発熱器（２２０）の上部枠部位と発熱器（２１０）の下部一側枠部位を相互連結して、
前記第二の発熱器ヒンジ（２３２）は、
前記第二の補助発熱器（２３０）の上部枠部位と発熱器（２１０）の下部他側枠部位を相互連結することを特徴とする、請求項７に記載の折り畳み可能な発熱器と焼き板が備えられる焼き装置。
【請求項９】
前記発熱器（２１０）には、
前記発熱器（２１０）の両側下部に発熱器（２１０）の長手方向に穿孔されて前記第一の補助発熱器（２２０）と第二の補助発熱器（２３０）が各々スライディング結合または分離できるようにするスライディング溝（２１５）が備えられ、
前記各第一の補助発熱器（２２０）と第二の補助発熱器（２３０）には、
前記スライディング溝（２１５）に結合されてスライディング結合または分離できるようにするスライディング突起（２２５）が備えられることを特徴とする、請求項１に記載の折り畳み可能な発熱器と焼き板が備えられる焼き装置。
【請求項１０】
前記発熱器（２１０）と第一の補助発熱器（２２０）と第二の補助発熱器（２３０）には、
前記発熱体（２１３）と第一の補助発熱体（２２３）と第二の補助発熱体（２３３）の電源を各々別々にオン・オフできるようにする電源ボタン（２６０）が含まれることを特徴とする、請求項６に記載の折り畳み可能な発熱器と焼き板が備えられる焼き装置。
【発明の詳細な説明】
【技術分野】
【０００１】
本発明は、折り畳み可能な発熱器と焼き板が備えられる焼き装置に関し、複数の熱原が相互重なったり広げられながら上部から下部に照射されて、その熱原を介して調理される食べ物を調理しながら相互重なったり広げられながら使用者の必要に応じて料理量と時間を調節できる折り畳み可能な発熱器と焼き板が備えられる焼き装置に関する。
【背景技術】
【０００２】
一般に、牛肉や、豚肉、鴨肉、鶏肉などの肉類を焼くのに使う焼肉器は、炭火やガスヒーターの上に焼き網や肉焼き板を載せて、この焼き網または焼肉板の上に肉を載せて焼くようになっている。
【０００３】
焼き網を使う場合には、炭火やヒーターから発生する火花が肉に直接加えられるので、肉を適時にひっくり返しても部分的に焦げる現象が生じ、このように焦げた肉は発癌物質などのように人体に有害な成分がたくさん含まれているとの学説があって焼き網使用時の問題となる。また、肉焼き板を使って肉を焼く場合にもこの肉焼き板が熱原から熱の伝達を受けて加熱しながら、その上に載せられた肉を焼くようになっているので、この肉焼き板に当たった肉が部分的に焦げることによって前記のような従来の焼き板は肉が焦げる問題を完全に解決できなかった。
【０００４】
また、前記のような焼き網や肉焼き板を使って肉を焼く場合にはしばしば肉をひっくり返すことにより肉の裏表面が斑なく焼くようになって、このようなひっくり返す動作を怠ると肉が部分的に或いは全体的に焦げてしまうことになる。
【０００５】
そこで、豚肉及び牛肉と鶏、鴨、魚などを火に焼いて食べるためにはフライパンのような調理用器具などを主に使ったが、最近肉をよりおいしく楽しむために黄土で作られたカマに肉を入れて高熱で焼いて食べる方法も使っている。
【０００６】
一般に肉類や食べ物を焼いて食べる場合、多数の人が集まって食べることになるが、肉類や焼き食べ物を焼く場合、一つのフライパンやグリルに焼くことになるが、多数の人が食べる場合、肉類や焼き食べ物を焼くのに時間がかかる問題点があった。これにより、短時間に多くの肉類や焼き食べ物を焼くために複数のフライパンやグリルを使うことになるが、この場合、食べ物を焼くための準備も焼く過程及び後処理が複雑な問題点があった。
【０００７】
そして、複数のフライパンやグリルの場合、使用前後で多くのスペースが必要になるので、その保管及び移動が困難な問題点があった。
【先行技術文献】
【特許文献】
【０００８】
【特許文献１】大韓民国登録実用新案２０−０４１１２９６（登録日:２００６年０３月０７日）
【発明の概要】
【発明が解決しようとする課題】
【０００９】
本発明は、前記の問題点を解決するために案出されたもので、本発明に係る折り畳み可能な発熱器と焼き板が備えられる焼き装置は、使用者の必要に応じて焼き板と発熱器の使用量を定めることができて、単数のフライパンやグリルを使う場合より短時間で多量の焼き食べ物を焼くことができる折り畳み可能な発熱器と焼き板が備えられる焼き装置を提供するのに目的がある。
【００１０】
本発明に係る折り畳み可能な発熱器と焼き板が備えられる焼き装置は、多量の焼き食べ物を短時間に焼きながらも食べ物を焼くための準備や焼く過程及び後処理が簡単な折り畳み可能な発熱器と焼き板が備えられる焼き装置を提供するのに目的がある。
【００１１】
本発明に係る折り畳み可能な発熱器と焼き板が備えられる焼き装置は、多量の食べ物を短時間に焼きながらも狭い場所で焼き食べ物を焼くことができて、使用前後においてその保管が簡単な折り畳み可能な発熱器と焼き板が備えられる焼き装置を提供するのに目的がある。
【課題を解決するための手段】
【００１２】
本発明に係る折り畳み可能な発熱器と焼き板が備えられる焼き装置は、調理しようとする料理材料を載せて調理することができるようにしながら複数が相互広げられたり相互重なるように形成される焼き部１００と；及び
【００１３】
前記焼き部１００で上下方向に配置される支持柱５０の上部に備えられて、前記焼き部１００に赤外線を加えながら複数が相互広げられたり相互折り畳み可能に形成される発熱部２００と；を含む。
【００１４】
前記焼き部１００は、調理しようとする料理材料を載せて調理することができるようにする焼き板１１０と、前記焼き板１１０の両側に各々回転可能に連結されながら前記焼き板１１０と積層されて重なるように形成される第一の補助焼き板１２０と第二の補助焼き板１３０を含み、前記発熱部２００は、前記焼き板１１０に赤外線を加えて焼き板１１０の上の料理材料が焼かれるようにする発熱器２１０と、前記発熱器２１０の両側に各々回転可能に連結されながら各々前記第一の補助焼き板１２０と第二の補助焼き板１３０に赤外線を加えて、前記発熱器２１０と折り畳み可能に形成される第一の補助発熱器２２０と第二の補助発熱器２３０を含むことができる。前記焼き部１００は、前記焼き板１１０の一側枠部位に前記第一の補助焼き板１２０が連結されたまま回転できるようにする第一の焼き板ヒンジ１２２と、前記焼き物時１１０の他側枠部位に前記第二の補助焼き板１３０が連結されたまま回転できるようにする第二の焼き板ヒンジ１３２を含むことができる。
【００１５】
前記焼き部１００は、前記焼き板１１０の下部に配置されて前記焼き板１１０で発生する油が落下されて集められる油受け取り１５０を含み、前記焼き板１１０は、前記焼き板１１０上で焼き対象物が料理されながら発生する油が前記油受け取り１５０に落下されるように前記焼き板１１０の中心部位に穿孔される油孔１１５を含むことができる。
【００１６】
前記油受け取り１５０は、前記第一の補助焼き板１２０が前記焼き板１１０で広げられた状態で焼き対象物の調理時発生する油が前記油受け取り１５０に落下されるように前記油受け取り１５０から前記第一の補助焼き板１２０が配置された位置までスライディングされる第一の補助油受け取り１２５と、前記第二の補助焼き板１３０が前記焼き板１１０で広げられた状態で焼き対象物の調理時発生する油が前記油受け取り１５０に落下されるように前記油受け取り１５０から前記第二の補助焼き板１３０が配置された位置までスライディングされる第二の補助油受け取り１３５を含み、前記第一の補助焼き板１２０は、前記第一の補助焼き板１２０から発生する油が第一の補助油受け取り１２５に落下されるように前記焼き板１１０と隣接した位置の第一の補助焼き板１２０に形成される第一の油孔１２３を含み、前記第二の補助焼き板１３０は、前記第二の補助焼き板１３０から発生する油が第二の補助油受け取り１３５に落下されるように前記焼き板１１０と隣接した位置の第二の補助焼き板１３０に形成される第二の油孔１３３を含むことができる。
【００１７】
前記焼き部１００は、折り畳まれる場合、前記焼き板１１０の上部に前記第二の補助焼き板１３０が重なった後、前記第二の補助焼き板１３０の上に前記第一の補助焼き板１２０が重なりながら折り畳まれるようになり、広げられる場合、前記第一の補助焼き板１２０が前記焼き板１１０の一側枠部位で回転しながら先に広げられた後、前記第二の補助焼き板１３０が前記焼き板１１０の他側枠部位で回転しながら広げられて、前記焼き板１１０は、前記焼き板１１０の枠部位から中心部位まで下方傾斜するように形成されて、前記第一の補助焼き板１２０と第二の補助焼き板１３０は各々上面と下面が枠から凹むように形成されることができる。
【００１８】
前記発熱器２１０は、ボックス状の本体２１１と、前記本体２１１の内部に収容されたまま赤外線を発散する発熱体２１３を含み、前記第一の補助発熱器２２０は、ボックス状の第一の補助本体２２１と、前記第一の補助本体２２１の内部に収容されたまま赤外線を発散する第一の補助発熱体２２３を含み、前記第二の補助発熱器２３０は、ボックス状の第二の補助本体２３１と、前記第二の補助本体２３１の内部に収容されたまま赤外線を発散する第二の補助発熱体２３３を含むことができる。
【００１９】
前記発熱部２００は、前記発熱器２１０の一側枠部位に前記第一の補助発熱器２２０が連結されたまま回転できるようにする第一の発熱器ヒンジ２２２と、前記発熱器２１０の他側枠部位で前記第二の補助発熱器２３０が連結されたまま回転できるようにする第二の発熱器ヒンジ２３２を含み、前記第一の補助発熱器２２０は前記第一の補助焼き板１２０と対応するように配置されて前記第一の補助焼き板１２０に赤外線を加えることができ、前記第二の補助発熱器２３０は前記第二の補助焼き板１３０と対応するように配置されて前記第二の補助焼き板１３０に赤外線を加えることができる。
【００２０】
前記第一の発熱器ヒンジ２２２は、前記第一の補助発熱器２２０の上部枠部位と発熱器２１０の下部一側枠部位を相互連結することができて、前記第二の発熱器ヒンジ２３２は、前記第二の補助発熱器２３０の上部枠部位と発熱器２１０の下部他側枠部位を相互連結することができる。
【００２１】
前記第一の補助発熱器２２０は、前記第一の補助発熱器２２０の下部を開閉するように形成される第一の開閉反射板２２６を含み、前記第二の補助発熱器２３０は、前記第二の補助発熱器２３０の下部を開閉するように形成される第二の開閉反射板２３６を含むことができる。前記発熱器２１０には、前記発熱器２１０の両側下部に発熱器２１０の長手方向に穿孔されて前記第一の補助発熱器２２０と第二の補助発熱器２３０が各々スライディング結合または分離できるようにするスライディング溝２１５が備えられ、前記各第一の補助発熱器２２０と第二の補助発熱器２３０には、前記スライディング溝２１５に結合されてスライディング結合または分離できるようにするスライディング突起２２５が備えられることができる。前記発熱器２１０と第一の補助発熱器２２０と第二の補助発熱器２３０には、前記発熱体２１３と第一の補助発熱体２２３と第二の補助発熱体２３３の電源を各々別々にオンしたりオフするようにする電源ボタン２６０が含まれてもよい。
【発明の効果】
【００２２】
本発明に係る折り畳み可能な発熱器と焼き板が備えられる焼き装置は、使用者の必要に応じて焼き食べ物の焼く量を調節することができて、一つの焼き装置を利用しながら選択的に複数の焼き板と発熱器を使用できる技術的効果がある。本発明に係る折り畳み可能な発熱器と焼き板が備えられる焼き装置は、焼き食べ物を焼くための準備や焼く過程及び後処理が簡単で使用が容易な使用上の効果がある。
【００２３】
本発明に係る折り畳み可能な発熱器と焼き板が備えられる焼き装置は、使用時には広げられたまま使って使用後には畳んで保管可能であるため、狭い場所でも容易に使用できる技術的効果がある。
【図面の簡単な説明】
【００２４】
【図１】本発明に係る折り畳み可能な発熱器と焼き板が備えられる焼き装置を示す図面である。
【図２】図１に係る断面を示す図面である。
【図３】折り畳み可能な発熱器と焼き板が備えられる焼き装置の焼き部と発熱部の一部が回転するのを示す図面である。
【図４】図３に係る焼き部と発熱部の一部が折り畳まれるのを示す図面である。
【図５】折り畳み可能な発熱器と焼き板が備えられる焼き装置の実施形態を示す図面である。
【図６】図５に係る油受け取りの動作を示す図面である。
【図７】折り畳み可能な発熱器と焼き板が備えられる焼き装置の実施形態を示す図面である。
【図８】図７に係る焼き板が折り畳まれるのを示す図面である。
【図９】折り畳み可能な発熱器と焼き板が備えられる焼き装置の他の実施形態を示す図面である。
【図１０】図９に係る使用状態を示す図面である。
【発明を実施するための形態】
【００２５】
後述する本発明に対する詳細な説明は、本発明が実施できる特定実施形態を例示として示す添付図面を参照する。これら実施形態は、当業者が本発明を実施できるのに充分に詳細に説明される。本発明の多様な実施形態は、各々異なるが相互排他的である必要はないと理解されなければならない。例えば、ここに記載されている特定形状、構造及び特性は、一実施形態に関連して本発明の精神及び範囲を逸脱せず他の実施形態で具現されることができる。また、各々の開示された実施形態内の個別構成要素の位置または配置は、本発明の精神及び範囲を逸脱せず変更できるものと理解されなければならない。したがって、後述する詳細な説明は限定的な意味で取るのではなく、本発明の範囲は、適宜説明されるのであれば、その請求項が主張するものと均等な全ての範囲と共に添付された請求項によってのみ限定される。図面で類似の参照符号は、様々な側面にかけて同じまたは類似する機能を指し、長さ及び面積、厚さなどとその形態は便宜のために誇張されて表現されることもできる。
【００２６】
以下、本発明が属する技術分野において通常の知識を有する者が本発明を容易に実施できるようにするために、本発明の好ましい実施形態について添付図面を参照して詳細に説明する。
【００２７】
以下の詳細な説明では、一例として複数の熱原が相互重なったり広げられて上部から下部に照射されて、その熱原を介して調理される食べ物を調理しながら相互重なったり広げられながら使用者の必要に応じて料理量と時間を調節できる折り畳み可能な発熱器と焼き板が備えられる焼き装置（特に、焼き部、発熱部）の技術的構成を同一に適用できることは勿論である。
【００２８】
図１は、本発明に係る折り畳み可能な発熱器と焼き板が備えられる焼き装置を示す図面である。
【００２９】
図２は、図１に係る断面を示す図面である。
【００３０】
図３は、折り畳み可能な発熱器と焼き板が備えられる焼き装置の焼き部と発熱部の一部が回転するのを示す図面である。
【００３１】
図４は、図３に係る焼き部と発熱部の一部が折り畳まれるのを示す図面である。
【００３２】
図１〜図４を見ると、本発明に係る折り畳み可能な発熱器と焼き板が備えられる焼き装置は、複数が相互広げられたり相互重なるように形成される焼き部１００と複数が相互広げられたり相互折り畳まれるように形成される発熱部２００を含む。
【００３３】
前記焼き部１００は、上部に焼き対象食べ物を備えた後、前記発熱部２００から加えられる熱原を介して焼き対象食べ物が焼けるように支持する役割を果たす。前記発熱部２００は、前記焼き部１００に備えられた焼き対象食べ物に赤外線熱を加えて焼き対象食べ物が焼かれながら煮えるようにする役割を果たす。ここで、前記焼き部１００は、調理しようとする料理材料を載せて調理することができるようにしながら複数が相互広げられたり相互折り畳められるように形成される。さらに、前記発熱部２００は、前記焼き部１００において上下方向に配置される支持柱５０の上部に備えられ、前記焼き部１００に赤外線を加えながら複数が相互広げられたり相互折り畳まれるように形成される。これのために、前記焼き部１００は、調理しようとする料理材料を載せて調理できるようにする焼き板１１０と、前記焼き板１１０の両側に各々回転可能に連結されながら前記焼き板１１０と積層されて重なるように形成される第一の補助焼き板１２０と第二の補助焼き板１３０を含むことができる。
【００３４】
また、前記発熱部２００は、前記焼き板１１０に赤外線を加えて焼き板１１０の上の料理材料が煮えるようにする発熱器２１０と、前記発熱器２１０の両側に各々回転可能に連結されながら各々前記第一の補助焼き板１２０と第二の補助焼き板１３０に赤外線を加えて、前記発熱器２１０と折り畳み可能に形成される第一の補助発熱器２２０と第二の補助発熱器２３０を含むことができる。
【００３５】
ここで、前記焼き部１００の焼き板１１０は、前記発熱部２００の発熱器２１０の下部に配置されて、前記焼き板１１０の上面に焼き対象食べ物（以下、食べ物）を載せた後、前記発熱器２１０の熱原を介して焼き対象食べ物を焼くことができるようになる。
【００３６】
尚、前記第一の補助焼き板１２０は、前記焼き板１１０に重なるように配置された後、使用時に前記焼き板１１０で回転して広げられながら、前記発熱器２１０で回転されて広げられる第一の補助発熱器２２０の下部に配置されて焼き対象食べ物を焼くことができるようになる。同様に、前記第二の補助焼き板１３０は、前記第一の補助焼き板１２０と前記焼き板１１０に相互重なるように配置された後、使用時に前記第一の補助焼き板１２０と異なる方向に前記焼き板１１０で回転して広げられながら、前記第一の補助発熱器２２０と異なる方向に前記発熱器２１０で回転して広げられる第二の補助発熱器２３０の下部に配置されて焼き対象食べ物を焼くことができるようになる。
【００３７】
このように、前記第一の補助焼き板１２０と第二の補助焼き板１３０が、前記焼き板１１０で円滑に広げられるようにするために、前記焼き部１００は、前記焼き板１１０の一側枠部位に前記第一の補助焼き板１２０が連結されたまま回転できるようにする第一の焼き板ヒンジ１２２と、前記焼き板１１０の他側枠部位に前記第二の補助焼き板１３０が連結されたまま回転できるようにする第二の焼き板ヒンジ１３２を含むことができる。
【００３８】
また、前記焼き部１００は、折り畳まれる場合、前記焼き板１１０の上部に前記第二の補助焼き板１３０が重なった後、前記第二の補助焼き板１３０の上に前記第一の補助焼き板１２０が重なりながら折り畳まれて、広げられる場合、前記第一の補助焼き板１２０が前記焼き板１１０の一側枠部位で回転しながら先に広げられた後、前記第二の補助焼き板１３０が前記焼き板１１０の他側枠部位で回転しながら広げられることになる。
【００３９】
図３のように、前記第一の焼き板ヒンジ１２２は、複数の第一のヒンジ軸１２４と複数の第一のヒンジ板１２６が相互連結備えられて前記第一の補助焼き板１２０が第二の補助焼き板１３０と重なった状態で広げられる場合、その広げられる動作が円滑に行われるようになる。逆に、複数の第一のヒンジ軸１２４と複数の第一のヒンジ板１２６により前記第一の補助焼き板１２０は前記第二の補助焼き板１３０に円滑に重なりながら積層配置されることができるようになる。同様に、前記第二の焼き板ヒンジ１３２も複数の第二のヒンジ軸１３４と複数の第二のヒンジ板１３６が相互連結備えられて前記第二の補助焼き板１３０が焼き板１１０と重なった状態で広げられる場合、その広げられる動作が円滑に行われるようになる。
【００４０】
尚、複数の第二のヒンジ軸１３４と複数の第二のヒンジ板１３６により前記第二の補助焼き板１３０は焼き板１１０に円滑に重なりながら積層配置されるようになる。ここで、前記焼き板１１０と第一の補助焼き板１２０及び第二の補助焼き板１３０が相互重なって積層配置された状態での前記第一のヒンジ板１２６のうち垂直方向に配置された第一のヒンジ板１２６の長さは、前記第二のヒンジ板１３６のうち垂直方向に配置された第二のヒンジ板１３６の長さよりも長く形成されることになる。
【００４１】
すなわち、前記第一の補助焼き板１２０は、前記第一の焼き板ヒンジ１２２の第一のヒンジ軸１２４と第一のヒンジ板１２６により前記焼き板１１０に連結されながら前記第二の補助焼き板１３０を覆いながら第二の補助焼き板１３０の上面に積層配置されるので、前記第一のヒンジ板１２６のうち垂直方向に配置された第一のヒンジ板１２６の長さが前記第二のヒンジ板１３６のうち垂直方向に配置された第二のヒンジ板１３６の長さよりも長く形成される。さらに、前記焼き板１１０は、前記焼き板１１０の枠部位から中心部位に下方傾斜するように形成されて、前記第一の補助焼き板１２０と第二の補助焼き板１３０は各々上面と下面が枠から凹むように形成されてもよい。
【００４２】
一実施形態において、前記焼き部１００を最初使用時前記焼き板１１０の上部に前記第二の補助焼き板１３０が積層されて、前記第二の補助焼き板１３０の上部に前記第一の補助焼き板１２０が積層配置される。これにより、前記発熱部２００の発熱器２１０は、前記第一の補助焼き板１２０の上面に赤外線を照射して前記第一の補助焼き板１２０の上面に備えられる食べ物を焼くことができるようになる。
【００４３】
尚、前記焼き部１００を広げて前記焼き板１１０と第一の補助焼き板１２０及び第二の補助焼き板１３０を全て使う場合には、まず前記第一の焼き板ヒンジ１２２を介して前記第一の補助焼き板１２０を焼き板１１０で回転させて広げることになる。
【００４４】
続いて、前記第二の焼き板ヒンジ１３２を介して前記第二の補助焼き板１３０を焼き板１１０で回転させて広げることになる。この場合、前記発熱部２００の発熱器２１０は、前記焼き板１１０に赤外線を照射し、前記第一の補助発熱器２２０は、第一の補助焼き板１２０に赤外線を照射し、前記第二の補助発熱器２３０は、第二の補助焼き板１３０に赤外線を照射して各々の食べ物を焼くことができるようになる。
【００４５】
前記に言及されたように、前記第一の補助焼き板１２０と第二の補助焼き板１３０は、両面共に使えるように上面と下面が枠から凹うように形成されることが好ましい。すなわち、前記第一の補助焼き板１２０が広げられる前には、前記発熱器２１０が前記第一の補助焼き板１２０の上面に赤外線を照射して、前記第一の補助焼き板１２０が広げられる場合、前記発熱器２１０は前記第二の補助焼き板１２０の上面に赤外線を照射し、前記第二の補助焼き板１２０が広げられる場合、前記発熱器２１０は前記焼き板１１０の上面に赤外線を照射することになる。
【００４６】
さらに、前記焼き部１００の使用が完了すると、円滑な保管のために先に前記第二の補助焼き板１２０を回転させて前記焼き板１１０の上部に第二の補助焼き板１２０が重なりながら積層できるようにして、前記第一の補助焼き板１２０を回転させて前記第二の補助焼き板１２０の上部に第一の補助焼き板１２０が重なりながら積層できるようにして狭い空間に保管することができる。
【００４７】
尚、前記焼き部１００は、前記焼き板１１０の下部に配置されて前記焼き板１１０から発生する油が落下されて集められる油受け取り１５０を含み、前記焼き板１１０は、前記焼き板１１０上で焼き対象物が調理されながら発生する油が前記油受け取り１５０に落下されるように前記焼き板１１０の中心部位に穿孔される油孔１１５を含むことができる。これにより、前記焼き板１１０上の食べ物が焼かれながら発生する油は、前記油孔１１５を介して落下されながら油受け取り１５０に集まるようになる。ここで、前記油受け取り１５０に対する具体的な内容は下記でより詳細に説明する。
【００４８】
一方、前記発熱部２００の発熱器２１０は、ボックス状の本体２１１と、前記本体２１１の内部に収容されたまま赤外線を発散する発熱体２１３を含み、前記第一の補助発熱器２２０は、ボックス状の第一の補助本体２２１と、前記第一の補助本体２２１の内部に収容されたまま赤外線を発散する第一の補助発熱体２２３を含むことができる。
【００４９】
尚、前記第二の補助発熱器２３０は、ボックス状の第二の補助本体２３１と、前記第二の補助本体２３１の内部に収容されたまま赤外線を発散する第二の補助発熱体２３３を含むことができる。ここで、前記本体２１１は、発熱体２１３を覆いながら発熱体２１３が固定位置を維持できるようにして、前記第一の補助本体２２１と第二の補助本体２３１も各々前記第一の補助発熱体２２３と第二の補助発熱体２３３を覆いながら第一の補助発熱体２２３と第二の補助発熱体２３３が固定位置を維持できるようにする役割を果たす。
【００５０】
前記発熱部２００は、前記発熱器２１０の一側枠部位に前記第一の補助発熱器２２０が連結されたまま回転できるようにする第一の発熱器ヒンジ２２２と、前記発熱器２１０の他側枠部位で前記第二の補助発熱器２３０が連結されたまま回転できるようにする第二の発熱器ヒンジ２３２を含むことができる。
【００５１】
さらに、前記第一の補助発熱器２２０は、前記第一の補助焼き板１２０と対応するように配置されて前記第一の補助焼き板１２０に赤外線を加えることができ、前記第二の補助発熱器２３０は、前記第二の補助焼き板１３０と対応するように配置されて前記第二の補助焼き板１３０に赤外線を加えることができる。前記第一の発熱器ヒンジ２２２は、前記第一の補助発熱器２２０の上部枠部位と発熱器２１０の下部一側枠部位を相互連結できて、前記第二の発熱器ヒンジ２３２は、前記第二の補助発熱器２３０の上部縁部位と発熱器２１０の下部他側枠部位を相互連結することができる。
【００５２】
結果的に、前記第一の補助発熱器２２０は、前記第一の発熱器ヒンジ２２２を介して前記発熱器２１０に連結されたまま回転可能となり、前記第二の補助発熱器２３０は、前記第二の発熱器ヒンジ２３２を介して前記発熱器２１０に連結されたまま回転可能となるものである。
【００５３】
一実施形態において、前記発熱部２００を未使用時前記発熱器２１０の両側に連結される前記第一の補助発熱器２２０と第二の補助発熱器２３０は、前記発熱器２１０の両側に上下方向に配置されながら前記発熱器２１０と部分的に折り畳まれた状態になる。前記発熱部２００で前記発熱器２１０だけ使う場合、前記第一の発熱器ヒンジ２２２と第二の発熱器ヒンジ２３２を利用して前記発熱器２１０で前記第一の補助発熱器２２０と第二の補助発熱器２３０を各々外側に１０°以上回転させることができる。この場合、前記発熱器２１０から照射される熱原が、前記第一の補助発熱器２２０と第二の補助発熱器２３０に反射して前記焼き部１００に集中できるようになる。尚、前記発熱器２１０と第一の補助発熱器２２０と第二の補助発熱器２３０を全て使う場合、前記第一の発熱器ヒンジ２２２と第二の発熱器ヒンジ２３２を利用して前記発熱器２１０で前記第一の補助発熱器２２０と第二の補助発熱器２３０を各々外側に９０°に回転させて完全に広げられるようにすることができる。この状態で、前記焼き部１００の前記焼き板１１０と第一の補助焼き板１２０及び第二の補助焼き板１３０が全て広げられる場合、前記発熱器２１０は焼き板１１０の上部に配置されて、前記第一の補助発熱器２２０は第一の補助焼き板１２０の上部に配置されて、前記第二の補助発熱器２３０は第二の補助焼き板１３０の上部に配置されて各々赤外線を照射するようになる。
【００５４】
このような前記発熱部２００の使用が完了すると、前記第一の補助発熱器２２０と第二の補助発熱器２３０を各々発熱器２１０が形成された内側方向に回転させて前記発熱器２１０と部分的に折り畳まれた状態で配置できるようになる。
【００５５】
図５は、折り畳み可能な発熱器と焼き板が備えられる焼き装置の実施形態を示す図面である。
【００５６】
図６は、図５に係る油受け取りの動作を示す図面である。
【００５７】
図１〜図４を参照に図５及び図６を説明すると、本発明に係る折り畳み可能な発熱器と焼き板が備えられる焼き装置は、複数が相互広げられたり相互重なるように形成される焼き部１００と複数が相互広げられたり相互折り畳まれるように形成される発熱部２００を含む。
【００５８】
前記油受け取り１５０は、前記第一の補助焼き板１２０が前記焼き板１１０で広げられた状態で焼き対象物の調理時発生する油が前記油受け取り１５０に落下されるように前記油受け取り１５０から前記第一の補助焼き板１２０が配置された位置にスライディングされる第一の補助油受け取り１２５を含むことができる。
【００５９】
前記油受け取り１５０は、前記第二の補助焼き板１３０が前記焼き板１１０で広げられた状態で焼き対象物の調理時発生する油が前記油受け取り１５０に落下されるように前記油受け取り１５０から前記第二の補助焼き板１３０が配置された位置にスライディングされる第二の補助油受け取り１３５を含むことができる。
【００６０】
尚、前記第一の補助焼き板１２０は、前記第一の補助焼き板１２０から発生する油が第一の補助油受け取り１２５に落下されるように前記焼き板１１０と隣接した位置の第一の補助焼き板１２０に形成される第一の油孔１２３を含むことができる。
【００６１】
さらに、前記第二の補助焼き板１３０は、前記第二の補助焼き板１３０から発生する油が第二の補助油受け取り１３５に落下されるように前記焼き板１１０と隣接した位置の第二の補助焼き板１３０に形成される第二の油孔１３３を含むことができる。
【００６２】
ここで、前記第一の補助油受け取り１２５は、前記第一の補助焼き板１２０が焼き板１１０で広げられて使われる場合、前記油受け取り１５０から第一の補助焼き板１２０が配置された位置にスライディングされながら第一の補助焼き板１２０に落下される油を受けて油受け取り１５０に伝達する役割を果たす。
【００６３】
すなわち、前記第一の補助焼き板１２０で第一の補助油受け取り１２５に落下される油は、第一の補助油受け取り１２５から油受け取り１５０に流入して油受け取り１５０で集まられるものである。これのために、前記第一の補助焼き板１２０に穿孔形成される第一の油孔１２３は、前記焼き板１１０と隣接した位置の前記第一の補助油受け取り１２５の上部に位置されるように形成される。同様に、前記第二の補助油受け取り１３５は、前記第二の補助焼き板１３０が焼き板１１０で広げられて使われる場合、前記油受け取り１５０から第二の補助焼き板１３０が配置された位置までスライディングされながら第二の補助焼き板１３０に落下される油を受けて油受け取り１５０に伝達する役割を果たす。すなわち、前記第二の補助焼き板１３０から第二の補助油受け取り１３５に落下される油は、第二の補助油受け取り１２５から油受け取り１５０に流入して油受け取り１５０で集められるようになる。これのために、前記第二の補助焼き板１３０に穿孔形成される第二の油孔１３３は、前記焼き板１１０と隣接した位置の前記第二の補助油受け取り１３５の上部に位置されるように形成される。
【００６４】
図７は、折り畳み可能な発熱器と焼き板が備えられる焼き装置の実施形態を示す図面である。
【００６５】
図８は、図７に係る焼き器が折り畳まれるのを示す図面である。
【００６６】
図１〜図４を参照に、図７及び図８を説明すると、本発明に係る折り畳み可能な発熱器と焼き板が備えられる焼き装置は、複数が相互広げられたり相互重なるように形成される焼き部１００と複数が相互広げられたり互いに折り畳まれるように形成される発熱部２００を含む。
【００６７】
前記に言及したように、前記発熱部２００は、前記焼き板１１０に赤外線を加えて焼き板１１０の上の料理材料が焼けるようにする発熱器２１０と、前記発熱器２１０の両側に各々回転可能に連結されながら各々前記第一の補助焼き板１２０と第二の補助焼き板１３０に赤外線を加えて、前記発熱器２１０と折り畳み可能に形成される第一の補助発熱器２２０と第二の補助発熱器２３０を含むことができる。
【００６８】
特に、前記第一の補助発熱器２２０は、前記第一の補助発熱器２２０の下部を開閉するように形成される第一の開閉反射板２２６を含み、前記第二の補助発熱器２３０は、前記第二の補助発熱器２３０の下部を開閉するように形成される第二の開閉反射板２３６を含むことができる。ここで、前記第一の開閉反射板２２６と第二の開閉反射板２３６は、第一の補助発熱器２２０と第二の補助発熱器２３０から発散される赤外線熱原が外部に流出されるのを最小化して各々前記第一の補助焼き板１２０と第二の補助焼き板１３０に照射できるように反射させる役割を果たす。
【００６９】
前記第一の開閉反射板２２６は、前記第一の補助発熱器２２０の下部枠部位に回転可能に連結される。これのために、前記第一の開閉反射板２２６には前記第一の補助発熱器２２０と連結されたまま回転可能にする第一のヒンジ２２８が備えられる。
【００７０】
同様に、前記第二の開閉反射板２３６は、前記第二の補助発熱器２３０の下部枠部位に回転可能に連結される。これにより、前記第二の開閉反射板２３６には前記第二の補助発熱器２３０と連結されたまま回転可能にする第二のヒンジ２３８が備えられる。この時、前記第一のヒンジ２２８は、前記第一の開閉反射板２２６は前記第一の補助発熱器２２０の間を連結して、前記第二のヒンジ２３８は、前記第二の開閉反射板２３６は前記第二の補助発熱器２３０の間を連結するが、外部加圧によってのみ前記第一の開閉反射板２２６と第二の開閉反射板２３６が回転するように形成されることが好ましい。すなわち、前記第一の開閉反射板２２６が回転するようにするには使用者が第一の開閉反射板２２６を加圧をして前記第一の補助発熱器２２０で回転できるようにして、加圧が終了すると第一の開閉反射板２２６はそれ以上回転せずその固定位置を維持するようになる。同様に、前記第二の開閉反射板２３６が回転するようにするには、使用者が第二の開閉反射板２３６を加圧して前記第二の補助発熱器２３０で回転できるようにして、加圧が終了すると第二の開閉反射板２３６はそれ以上回転せずその固定位置を維持するようになる。
【００７１】
図９は、折り畳み可能な発熱器と焼き板が備えられる焼き装置の他の実施形態を示す図面である。
【００７２】
図１０は、図９に係る使用状態を示す図面である。
【００７３】
図１〜図４を参照に、図９及び図１０を説明すると、本発明に係る折り畳み可能な発熱器と焼き板が備えられる焼き装置は、複数が相互広げられたり相互重なるように形成される焼き部１００と複数が相互広げられたり相互折り畳まれるように形成される発熱部２００を含む。
【００７４】
前記に言及したように、前記発熱部２００は、前記発熱器２１０の一側枠部位に前記第一の補助発熱器２２０が連結されたまま回転できるようにする第一の発熱器ヒンジ２２２と、前記発熱器２１０の他側枠部位で前記第二の補助発熱器２３０が連結されたまま回転できるようにする第二の発熱器ヒンジ２３２を含むことができる。他の実施形態において、前記発熱器２１０には、前記発熱器２１０の両側下部に発熱器２１０の長手方向に穿孔されて前記第一の補助発熱器２２０と第二の補助発熱器２３０が各々スライディング結合または分離できるようにするスライディング溝２１５が備えられて、前記各第一の補助発熱器２２０と第二の補助発熱器２３０には、前記スライディング溝２１５に結合されてスライディング結合または分離できるようにするスライディング突起２２５が備えられてもよい。この時、前記第一の発熱器ヒンジ２２２は前記第一の補助発熱器２２０とスライディング突起２２５との間に備えられる。
【００７５】
尚、前記第二の発熱器ヒンジ２３２は、前記第二の補助発熱器２３０とスライディング突起２２５との間に備えられる。これにより、前記第一の補助発熱器２２０は、スライディング突起２２５がスライディング溝２１５に結合されたまま前記第一の発熱器ヒンジ２２２を介して発熱器２１０の一側に連結されたまま回転することができる。
【００７６】
さらに、前記第二の補助発熱器２３０は、スライディング突起２２５がスライディング溝２１５に結合されたまま前記第二の発熱器ヒンジ２３２を介して発熱器２１０の他側に連結されたまま回転することができる。このような前記スライディング溝２１５とスライディング突起２２５を介して前記第一の補助発熱器２２０と第二の補助発熱器２３０は、前記発熱器２１０から分離して保管することができて、前記第一の補助発熱器２２０と第二の補助発熱器２３０の使用時、前記発熱器２１０と簡単に結合されて使われることができる。
【００７７】
特に、前記発熱器２１０と第一の補助発熱器２２０と第二の補助発熱器２３０には、前記発熱体２１３と第一の補助発熱体２２３と第二の補助発熱体２３３の電源を各々別々にオン・オフできるように電源ボタン２６０が含まれてもよい。
【００７８】
これにより、前記発熱器２１０と第一の補助発熱器２２０と第二の補助発熱器２３０は、前記電源ボタン２６０を介して各々別々にオン・オフができてその使用が円滑になる。前記の構成を介して使用者の必要に応じて焼き食べ物の焼く量を調節できて一つの焼き装置を利用しながらも選択的に複数の焼き板と発熱器を使用できる長所を得ることができる。
【００７９】
尚、焼き食べ物を焼くための準備や焼く過程及び後処理が簡単で使用が容易な長所を得ることができる。さらに、使用時には広げられたまま使って使用後には畳んで保管可能であるため、狭い場所でも容易に使うことができる場点を得ることができる。以上、添付された図面を参照して本発明の実施形態を説明したが、本発明は前記実施形態に限定されず各々異なる多様な形態で製造されることができて、本発明が属する技術分野において通常の知識を有する者は本発明の技術的思想や必須の特徴を変更することなく他の具体的な形態で実施できることを理解できるはずである。したがって、以上で記述した実施形態はいずれの面で例示的なものであり、限定的ではないものと理解しなければならない。
【図１】
2019037758.tif 000003
【図２】
2019037758.tif 000004
【図３】
2019037758.tif 000005
【図４】
2019037758.tif 000006
【図５】
2019037758.tif 000007
【図６】
2019037758.tif 000008
【図７】
2019037758.tif 000009
【図８】
2019037758.tif 000010
【図９】
2019037758.tif 000011
【図１０】
2019037758.tif 000012